(57)【要約】【課題】操作の確実性を大幅に向上させるとともに操作時間を大幅に短縮することができる治療物質注入装置を提供すること。【解決手段】外針移動ユニット（８）と内針移動ユニット（３Ｂ）を固定棒（５）に装着し、前記内針移動ユニット（３Ｂ）と外針移動ユニット（８）を表示／設定棒（６ａ、６ｂ）で連結した治療物質注入装置（１）。前記外針移動ユニット（８）は、ニードルホルダー（１５）と、当該ニードルホルダー（１５）を下方に移動させるピンチレバー（８ａ）と当該外針移動ユニット（８）を固定棒（５）の長さ方向に移動させるピンチレバー（８ｂ）を有する。【選択図】図１
2004141448.tif 000002
【特許請求の範囲】
【請求項１】
外針移動ユニット（８）と内針移動ユニット（３Ｂ）を固定棒（５）に装着し、前記内針移動ユニット（３Ｂ）と外針移動ユニット（８）を表示／設定棒（６ａ、６ｂ）で連結したことを特徴とする治療物質注入装置（１）。
【請求項２】
前記外針移動ユニット（８）は、ニードルホルダー（１５）と、当該ニードルホルダー（１５）を下方に移動させるピンチレバー（８ａ）と当該外針移動ユニット（８）を固定棒（５）の長さ方向に移動させるピンチレバー（８ｂ）を有することを特徴とする請求項１に記載の治療物質注入装置（１）。
【請求項３】
前記外針移動ユニット（８）の後方にストッパーゲージ（１４）と突部マーカー（１６）を装着したことを特徴とする請求項１ないし請求項２に記載の治療物質注入装置（１）。
【請求項４】
前記外針移動ユニット（８）の後方に治療物質（１０）の長さと当該長さに対応する色を表示する表示部（１２ａ、１２ｂ）を装着したことを特徴とする請求項１ないし請求項３に記載の治療物質注入装置（１）。
【請求項５】
前記内針移動ユニット（３Ｂ）は当該内針移動ユニット（３Ｂ）を固定棒（５）の長さ方向に移動させるレバー（１３）を装着したことを特徴とする請求項１ないし請求項３に記載の治療物質注入装置（１）。
【請求項６】
前記表示／設定棒（６ａ、６ｂ）は、治療物質（１０）の長さと当該長さに対応する色を表示することを特徴とする請求項１ないし請求項５に記載の治療物質注入装置（１）。
【請求項７】
前記固定棒（５）の先端に補助体（９）を装着し、当該補助体（９）に溝（９Ａ）を形成し、当該溝（９Ａ）内に板状体（９Ｂ）を配置し、当該補助体（９）の壁（９Ｃ）に磁石（９Ｄ）を装着したことを特徴とする請求項１ないし請求項６に記載の治療物質注入装置（１）。
【発明の詳細な説明】
【０００１】
【発明の属する技術分野】
本発明は、例えば前立腺癌等の患者の患部治療のために、例えばワイヤー状（コイル状）及びムク状の治療物質等の治療物質を注入（埋設）するための治療物質注入装置の改良に関する。
【０００２】
【従来の技術及び発明が解決しようとする課題】
本件出願人は特許文献１に治療物質注入装置を開示した。当該発明は、針棒を固定しかつ切り欠き部を形成した内針基に、固定棒を装着し、針棒と固定棒の外周に移動体を装着している。治療物質を体内に埋設する場合、内針基を固定するために、切り欠き部より露出した固定棒を指で挟んで固定していた。また移動体を指で挟み固定棒及び埋設内針上を移動させていたがロック機能がないためカートリッジの後端部が移動体に当接した際、この移動体が動くことが懸念される。また固定棒に目盛りを付設して移動体を設置するが、この目盛りも１ｃｍ刻みに付設しているだけであった。従って治療物質を体内に埋設する操作に於いて満足するものではなく、まだ合理的にすることができ更なる改良の余地があった。
また特許文献２の治療物質注入装置は、ムク状の治療物質を装填したカートリッジを、注入装置に装着し、治療物質を体内に注入（埋設）すると、当該カートリッジに配置されたバネにより次の治療物質が順次、自動的に装填される旨が開示されている。しかし当該治療物質注入装置の形態では、細径のワイヤー状（コイル状）の治療物質については適用できない。
また特許文献３の治療物質注入装置は、ムク状の治療物質をカートリッジに複数個等間隔に配置し、一度の穿刺で治療物質を埋設することができる旨が開示されているが、当該治療物質注入装置の形態も、細径のワイヤー状（コイル状）の治療物質については適用できない。
そこで本発明者は以上の課題を解決する為に、鋭意検討を重ねた結果次の発明に到達した。
【０００３】
【特許文献１】
特願２００１−２２２１３４号公報（第１図、第４図）
【特許文献２】
ＵＳ５８６０９０９（第１図〜第５図）
【特許文献３】
特開２００１−７０４５７号公報（第１図）
【０００４】
【課題を解決する為の手段】
［１］本発明は、外針移動ユニット（８）と内針移動ユニット（３Ｂ）を固定棒（５）に装着し、前記内針移動ユニット（３Ｂ）と外針移動ユニット（８）を表示／設定棒（６ａ、６ｂ）で連結した治療物質注入装置（１）を提供する。
［２］本発明は、前記外針移動ユニット（８）は、ニードルホルダー（１５）と、当該ニードルホルダー（１５）を下方に移動させるピンチレバー（８ａ）と当該外針移動ユニット（８）を固定棒（５）の長さ方向に移動させるピンチレバー（８ｂ）を有する［１］に記載の治療物質注入装置（１）を提供する。
［３］本発明は、前記外針移動ユニット（８）の後方にストッパーゲージ（１４）と突部マーカー（１６）を装着した［１］ないし［２］に記載の治療物質注入装置（１）を提供する。
［４］本発明は、前記外針移動ユニット（８）の後方に治療物質（１０）の長さと当該長さに対応する色を表示する表示部（１２ａ、１２ｂ）を装着した［１］ないし［３］に記載の治療物質注入装置（１）を提供する。
［５］本発明は、前記内針移動ユニット（３Ｂ）は当該内針移動ユニット（３Ｂ）を固定棒（５）の長さ方向に移動させるレバー（１３）を装着した［１］ないし［３］に記載の治療物質注入装置（１）を提供する。
［６］本発明は、前記表示／設定棒（６ａ、６ｂ）は、治療物質（１０）の長さと当該長さに対応する色を表示する［１］ないし［５］に記載の治療物質注入装置（１）を提供する。
［７］本発明は、前記固定棒（５）の先端に補助体（９）を装着し、当該補助体（９）に溝（９Ａ）を形成し、当該溝（９Ａ）内に板状体（９Ｂ）を配置し、当該補助体（９）の壁（９Ｃ）に磁石（９Ｄ）を装着した［１］ないし［６］に記載の治療物質注入装置（１）を提供する。
【０００５】
【発明の実施の形態】
図１は本発明の治療物質注入装置１の概略図で、（Ａ）は平面図、（Ｂ）は側面図、（Ｃ）は底面図、図２は図１治療物質注入装置１の（Ｂ）の透視図、図３は表示／設定棒６ａ、６ｂの保持部材８ｃ付近の一部拡大図、図４は前記治療物質注入装置１の補助体９の拡大図で、（Ａ）は正面図、（Ｂ）は側面図、図５と図６は本発明の治療物質注入装置１の使用方法の一例を（１）から（１０）に示した概略図、図７の（Ａ）、（Ｂ）はストッパーゲージ１４と突部マーカー１６の動きを示した平面図である。
本発明の治療物質注入装置１（以下「注入装置１」と略記する）は外針移動ユニット８と内針移動ユニット３Ｂを固定棒５に装着し、前記内針移動ユニット３Ｂと外針移動ユニット８は二本の表示／設定棒６ａ、６ｂで連結されている。当該表示／設定棒６ａ、６ｂは、平行に配置されている。さらに前記固定棒５の先端には、補助体９、後端にはグリップ４が装着されている。
【０００６】
［外針移動ユニット８］
外針移動ユニット８は図１ないし図２に例示するように、略中央に穴１８ａ、１８ｂが二箇所形成されたいわゆるめがね状のハウジング８Ｈを有し、当該ハウジング８Ｈの前方底部にニードルホルダー１５を配置し、当該ニードルホルダー１５を下方に移動させるピンチレバー８ａと当該外針移動ユニット８を固定棒５の長さ方向に移動させるピンチレバー８ｂを装着することにより構成される。
［ピンチレバー８ａ、８ｂ］
ピンチレバー８ａ、８ｂは、それぞれハウジング８Ｈ内に配置される棒状の押圧部８ａ′、押圧部８ｂ′と略Ｌ字状に一体に形成され、当該略Ｌ字の曲部を支点Ｐ１としてハウジング８Ｈに軸着されている。
［穴１８ａ、１８ｂ］
穴１８ａ、１８ｂは例えば親指及び人差し指が入り且つ前記ピンチレバー８ａ、８ｂを互いに内側に向けて挟持することができる程度の大きさに形成される。例えば前記穴１８ａに人差し指、穴１８ｂに親指を入れ前記ピンチレバー８ａ、８ｂを挟持する。
【０００７】
［ニードルホルダー１５］
ニードルホルダー１５は、図１（Ｃ）に例示するように底部に針管２Ａ（図４参照）を装着するための溝１５ａが形成され、当該溝１５ａは針棒３Ａ（針管２Ａ）の長さ方向と平行に形成されている。
ニードルホルダー１５の上部には軸部Ｊ１が一体に形成され、当該軸部ＪＩの外周にバネＳ１が装着されている。
ピンチレバー８ａを押圧すると支点Ｐ１を軸に押圧部８ａ′の先端が下方に移動して、軸部Ｊ１の天面を押さえ、前記ニードルホルダー１５が下方に移動し、当該ニードルホルダー１５の溝１５ａが針管２Ａの外周に係合する。
前記ピンチレバー８ａを押圧しない場合は、バネＳ１の反発作用によりニードルホルダー１５は定位置に固定されている。
【０００８】
［表示／設定棒６ａ、６ｂ］
一方の表示／設定棒６ａには体内に埋設する治療物質１０の長さを数字で表示し、他方の表示／設定棒６ｂは治療物質１０の長さに対応する色を表示する。当該色は治療物質１０を装填したカートリッジ７に表示されている色と同じ色である。例えばカートリッジ７に充填された治療物質が６ｃｍの場合、前記カートリッジ７に表示されている色を赤とし、以下同様に５ｃｍが橙色、４ｃｍが黄色、３ｃｍが緑、２ｃｍが水色、１ｃｍが紺等とする。
表示／設定棒６ａ、６ｂには、それぞれ前記治療物質１０の長さに対応する数字と色が順次長さ方向に表示（表記）され、さらに前記数字と色が平行に対向して表示（表記）されている。
したがって外針移動ユニット８は、表示／設定棒６ａ、６ｂの数字と色を表示（表記）した端から端の長さの範囲内で可動するように設定される。
［表示／設定棒６ａ、６ｂの保持部材８ｃ］
ピンチレバー８ｂと一体に形成した押圧部８ｂ′の下部には、軸部Ｊ２（外周にバネＳ２が配置されている）を介して、保持部材８ｃが配置されている。
保持部材８ｃは、図３に示すように表示／設定棒（６ａ、６ｂ）の各両側面に形成した切り溝６Ｍと係合する突部８Ｔを形成している。
ピンチレバー８ｂを押圧すると支点Ｐ１を軸に押圧部８ｂ′の先端が下方に移動して軸部Ｊ２の天面を押し、前記保持部材８ｃが下方に移動して、前記切り溝６Ｍと保持部材８ｃの突部８Ｔの係合が解除される。これにより外針移動ユニット８は前記表示／設定棒６ａ、６ｂの長さに相当する距離の範囲内で、固定棒５に沿って移動することができる。
前記ピンチレバー８ｂを押圧しない場合は、バネＳ２の反発作用により保持部材８ｃの突部８Ｔと切り溝６Ｍが係合され、外針移動ユニット８は動かないように固定される。
［表示部１２ａ、１２ｂ］
また外針移動ユニット８（ハウジング８Ｈ）の後方天面には、表示部１２ａ、１２ｂが形成（穿孔）されている。表示部１２ａ、１２ｂは孔であり、当該孔より、設定棒６ａに表示された数字と、設定棒６ｂに表示された色を外針移動ユニット８（ハウジング８Ｈ）の天面方向から可視することができる。
ピンチレバー８ｂを指で挟持して、外針移動ユニット８を移動させると表示部１２ａに、体内に埋設する治療物質１０の長さを示す数字、表示部１２ｂに当該長さに対応する色が表示される。当該色は該治療物質１０を充填したカートリッジ７に記載された色（治療物質１０の長さを示す）と同じ色である。
カートリッジ７に装填された治療物質１０の長さが、表示部１２ａに表示された長さでありかつ、表示部１２ｂに表示された色と相違がないかダブルチェックを行う事ができ、治療物質１０の埋設ミスを防ぐことができる。
【０００９】
［突部マーカー１６とストッパーゲージ１４］
また外針移動ユニット８の後方には突部マーカー１６と該突部マーカー１６と係合する溝１４ａを形成したストッパーゲージ１４が装着されている。
図１（Ｂ）に示すようにストッパーゲージ１４は支点Ｐと重心を偏った位置に配置しているので、該ストッパーゲージ１４の上部は内針移動ユニット３Ｂ側に傾き、下部は外針移動ユニット８の前方側に傾いている。この時図５の（Ａ）に示すように突部マーカー１６と前記ストッパーゲージ１４の位置は離れている。
カートリッジ７（図４参照）の後端がストッパーゲージ１４の下方前方に当接した時、ストッパーゲージ１４が突部マーカー１６方向に移動して、当該ストッパーゲージ１４の溝１４ａが、突部マーカー１６に係合する状況を目視で確認することができる。これにより治療物質１０が外針２の先端に配置されたことを確認することができる。
【００１０】
［内針移動ユニット３Ｂ］
内針移動ユニット３Ｂはハウジング３Ｈの天面に、該内針移動ユニット３Ｂを固定棒５の長さ方向に移動させるためのレバー１３が装着されている。
図２に示すように、レバー１３の下部に棒状の保持部材１３ａ（外周にバネＳ３が装着されている）を連結している。通常（何もしない状態）時は前記バネＳ３の反発力により保持部材１３ａが固定棒５を上部から押圧して動かないように固定している。
前記レバー１３の天面を上から指で押圧すると保持部材１３ａが上方に移動し、固定棒５の押圧が解除される。このため内針移動ユニット３Ｂを固定棒５に沿って前方（又は後方）に移動することができる。前記レバー１３を押圧する指を離すと再びバネＳ３の反発力により保持部材１３ａが固定棒５を押圧して動かないように固定する。
【００１１】
［補助体９］
図３（Ａ）に示すように、補助体９は幅方向の略中腹部から下方中央部にかけて溝９Ａを形成している。溝９Ａ内に略三角形状の板状体９Ｂが配置されている。
すなわち、前記板状体９Ｂの下端部を（右）壁９Ｃの下方に装着し、（右）壁９Ｃの内面から幅方向に溝１９を形成して、前記板状体９Ｂの水平部の一部を前記溝１９に挿入している。
板状体９Ｂが針管２Ａにより下方から上方に押圧された場合、板状体９Ｂの弾性力（反発力）により、前記板状体９Ｂの水平部の端部が前記溝１９の空間部に入り込むことで右壁９Ｃと頂点Ｑの間に隙間が生じ、針管２Ａは当該隙間を経て溝９Ｅに係入できるように形成されている。
針管２Ａの先端が補助体９の溝９Ａ内に係入されたとき該針管２Ａの先端が動かないように固定するために、例えば（右）壁９Ｃに磁石９Ｄを埋設することが好ましい。これにより板状体９Ｂは磁気を帯び、前記針管３Ａの先端を板状体９Ｂの斜面に磁着して固定することができる。
【００１２】
本発明の注入装置１の使用方法の一例を図４の（１）から（１０）の操作順に沿って説明する。
本実施例では、４ｃｍの治療物質１０を埋設する場合について説明する。
４ｃｍの治療物質１０を装填したカートリッジ７を準備し、当該カートリッジ７の外装には４ｃｍの治療物質が装填されていることを示す「４ｃｍ」の表示と４ｃｍの治療物質が装填されていることを示す「黄色」の表示が記載されている。
（１）本発明の注入装置１を準備する。内針移動ユニット３Ｂはグリップ４の先端に隣接し、当該内針移動ユニット３Ｂに外針移動ユニット８を隣接している。
（２）注入装置１のグリップ４を片方の手で握り、もう片方の手の指を外針移動ユニット８の穴１８ａ、１８ｂに入れピンチレバー８ａ、８ｂを同時に挟持して、外針移動ユニット８を固定棒５の先端方向に移動させる。（この場合外針移動ユニット８を移動させるためなので少なくとも穴１８ｂに親指を入れ、人差し指を該外針移動ユニット８の先端に掛けて、ピンチレバー８ｂのみを挟持すればよいが、操作がし辛いので、人差し指も穴１８ａに入れ、上述したようにピンチレバー８ａと８ｂを同時に挟持する方が好ましい。）表示部１２ａ、１２ｂはそれぞれ表示／設定棒６ａ、６ｂに表示された「４」と「黄色」（いずれも治療物質の長さを示す）が表示される。
（３）外針２を中針（ＣＮ）と一緒に、注入プレート１１を介して患部に穿刺する。
（４）中針（ＣＮ）を抜き取る。
（５）針基２Ｂに治療物質を装填したカートリッジ７を接続する。
（６）カートリッジ７のキャップＣを外し、補助体９の溝９Ｅから針棒３Ａの先端を外して、カートリッジ７の後端から針棒３Ａの先端を挿入する。針管３Ａを弾性金属で形成することにより、その弾性を利用して注入装置１の角度等を変えてカートリッジ７から容易に挿入することができる。
（７）補助体９の溝９Ａに針管２Ａを係入し、さらに該補助体９の天面を指で押さえて、針管２Ａを空間９Ｅまで係入する。
これにより注入装置１の固定棒５と針管２Ａは、長さ方向に平行に配置されるので、グリップ４を固定棒５の先端方向に押して、補助体９の細径部５Ａを、注入プレート１１の穴の上部近傍の穴（図示せず）に挿入することができる。これにより注入装置１を注入プレート１１に安定して固定できる。さらに針管２Ａを固定棒５と平行して配置することにより安定した状態で治療物質１０を注入（埋設）する体勢を整えることができる。
（８）内針移動ユニット３Ｂのレバー１３を押しながら内針移動ユニット３Ｂと外針移動ユニット８を固定棒５の先端方向に移動させ、カートリッジ７の後端がストッパーゲージ１４の下方前方に当接するまで移動させる。
ストッパーゲージ１４の下部がカートリッジ７後端に当接すると図５（Ａ）に示したストッパーゲージ１４が矢印のように突部マーカー１６方向に移動して図５（Ｂ）に示したように係合する。この動きを上部から目視により確認することにより、すなわちストッパーゲージ１４の溝１４ａが突部マーカー１６に係合した時点で治療物質１０が体内埋設位置（治療物質１０の先端は前記針管２Ａの先端に配置されている）に到達したことを確認することができる。
（９）片方の手の指を穴１８ａ、１８ｂに入れ、ピンチレバー８ａ、８ｂを同時に挟持して外針移動ユニット８を内針移動ユニット３Ｂに隣接するまで引き戻す。この時前記ピンチレバー８ａを挟持することにより、ニードルホルダー１５が下方に移動し、溝１５ａが針管２Ａの外周と係合する。これと同時に前記ニードルホルダー１５の後端が外針基２Ｂの先端に当接するので、外針２を体内から引き抜き治療物質１０を体内に埋設することができる。
（１０）注入装置１を引き抜き治療物質１０の体内埋設作業が終了する。
この操作は一つの治療物質１０を体内に埋設する一例であり、複数の治療物質１０を患部に埋設する場合は埋設位置を決定確認しながらこの操作を繰り返しておこなう。
【００１３】
【発明の作用効果】
本発明の治療物質注入装置１では、
（１）特許文献１に記載の内針基を内針移動ユニット３Ｂに改良し、さらに移動体を外針移動ユニット８に改良することにより、操作の確実性を大幅に向上させることができ、更に操作時間を大幅に短縮することができる。
（２）表示／設定棒６ａ、６ｂ、表示部１２ａ、１２ｂ、ストッパーゲージ１４と突部マーカー１６等を設けることにより、体内に埋設する治療物質の長さの設定・確認が容易に行える。
（３）また細径のワイヤー状（コイル状）の治療物質１０を体内に埋設するときの変形がほとんどなく、これらの治療物質１０に好適に使用することができる。
【図面の簡単な説明】
【図１】本発明の治療物質注入装置１の展開図で（Ａ）は平面図、（Ｂ）は側面図、（Ｃ）は底面図（背面図）
【図２】前記図１（Ａ）の治療物質注入装置１の透視図
【図３】表示／設定棒６ａ、６ｂの保持部材８ｃ付近の一部拡大図
【図４】補助体９の拡大図で（Ａ）は正面図、（Ｂ）は側面図
【図５】本発明の注入装置１の使用方法の一例を示した概略図
【図６】本発明の注入装置１の使用方法の一例を示した概略図
【図７】（Ａ）はストッパーゲージ１４がカートリッジ７の後端に当接する前のストッパーゲージ１４と突部マーカー１６の平面図。（Ｂ）は当接後の平面図
【符号の説明】
１　治療物質注入装置（注入装置）
２、２０　外針
２Ａ　針管
２Ｂ　外針基
３　埋設用内針
３Ａ　針棒
３Ｂ　内針移動ユニット
３Ｈ　ハウジング
４　グリップ
４Ａ　切り欠き部
５　固定棒
５Ａ　細径部
６ａ、６ｂ　表示／設定棒
６Ｍ　切り溝
７　カートリッジ
８　外針移動ユニット
８Ｈ　ハウジング
８Ｔ　突部
８ａ、８ｂ　ピンチレバー
８ａ′、８ｂ′　押圧部
８ｃ　保持部材
９　補助体
９Ａ　溝
９Ｂ　板状体
９Ｃ　壁
９Ｄ　磁石
９Ｅ　空間
１０　治療物質（放射線源）
１１　治療物質（放射線源）注入用プレート
１２ａ、１２ｂ　表示部
１３　レバー
３ａ　保持部材
１４　ストッパーゲージ
１４ａ　溝
１５　ニードルホルダー
１５ａ　溝
１６　突部マーカー
１８ａ、１８ｂ　穴
１９　溝
Ｃ　キャップ（カートリッジ）
ＣＮ　中針
Ｊ１、Ｊ２　軸部
Ｐ、Ｐ１　支点
Ｑ　頂点
Ｓ１、Ｓ２、Ｓ３　バネ
【図１】
2004141448.tif 000003
【図２】
2004141448.tif 000004
【図３】
2004141448.tif 000005
【図４】
2004141448.tif 000006
【図５】
2004141448.tif 000007
【図６】
2004141448.tif 000008
【図７】
2004141448.tif 000009